【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
ボートの進行方向と交差するように配された長手方向のホルダー（２）、
水位調整ユニット、
ダイナミックスタビライザー（６、７）、
機械式の駆動ユニット（１０、１０４）を有する遠隔制御されるスタート許可ユニット、および、
船首支持部（８、１０１）、
を備えるスポーツ目的の静水域でのボート競技のスタート装置用のベースモジュールであって、
長手方向のホルダー（２）が１以上の剛性の中空管または輪郭成形したバーで作られ、
船首支持部（８、１０１）は、情報ユニットと、ボートを受け取るためのヘッド部分（１０２）とを備え、前記ヘッド部分（１０２）は、力伝達ユニット（９、１３）によって駆動ユニット（１０、１０４）に接続され、スタート位置検知ユニット（１１０）を装備していることを特徴とする、ベースモジュール。
【請求項２】
スタート位置検知ユニット（１１０）は、少なくともそれ自体のスタート位置の検知を表示するための表示装置を備えることを特徴とする、請求項１に記載のベースモジュール。
【請求項３】
スタート位置検知ユニット（１１０）は、複数のボートのスタート位置の検知を表示するための表示装置を備えることを特徴とする、請求項１または２に記載のベースモジュール。
【請求項４】
スタート位置検知ユニット（１１０）は、スタート位置センサー（１１４）とプレス板（１１１）を備えることを特徴とする、請求項１に記載のベースモジュール。
【請求項５】
スタート位置センサー（１１４）は、移動および／または末端位置を測定するためのセンサーであることを特徴とし、張力計センサー、または画像処理を装備したカメラ（１０８）であることを特徴とする、請求項４に記載のベースモジュール。
【請求項６】
スタート位置検知ユニット（１１０）は、ボートを受け取るヘッド部分（１０２）の内部の前面に対して、ボートの船首によって移動可能なプレス板（１１１）、磁石（１１２）、磁場センサー（１１３）、および、磁石ロック（１１８）を有することを特徴とする、請求項４に記載のベースモジュール。
【請求項７】
情報ユニット（１０５）は、視覚表示装置（１０６）および／または音響表示装置（１０９）および／またはカメラ（１０８）および／または周辺パラメータセンサー（１１９）を備えることを特徴とする、請求項１に記載のベースモジュール。
【請求項８】
無線および／またはケーブルの信号伝達システムは、船首支持部（１０１）の情報ユニット（１０５）の部分間に、および／または、情報ユニット（１０５）とその専用ステーションとしてのスタート監視システム（１２０）との間に、配されることを特徴とする、請求項１に記載のベースモジュール。
【請求項９】
スタート監視システム（１２０）のステーションとしての情報ユニット（１０５）は、船首支持部（１０１）のすべての信号を伝達し、スタート監視システム（１２０）の指令を受け取ることができることを特徴とする、請求項８に記載のベースモジュール。
【請求項１０】
ボートのスタート位置検知ユニット（１１０）は、圧力信号または圧力信号の特定の値を伝達する圧力検知表面であり、ボートの船首によって物理的に接触可能であるボート受け取りヘッド部分（１０２）の一部に位置することを特徴とする、請求項４に記載のベースモジュール。
【請求項１１】
駆動ユニット（１０４）の制御システムは、スタート監視システム（１２０）に接続されることを特徴とする、請求項１に記載のベースモジュール。
【請求項１２】
情報ユニット（１０５）は、正反対の方向に取り付けられた２つのカメラ（１０８）を有し、１つのカメラ（１０８）はスタート位置に整列した競技者に向けられることを特徴とする、請求項７に記載のベースモジュール。
【請求項１３】
視覚表示装置（１０６）は、スクリーン、および／または、個々に制御された光源（１０７）であることを特徴とする、請求項７に記載のベースモジュール。
【請求項１４】
個々に制御された光源（１０７）の光は、ボートを受け取るヘッド部分（１０２）に誘導されることを特徴とする、請求項１３に記載のベースモジュール。
【請求項１５】
船首支持部は、水温および／または気温および／または風向きおよび／または風速を測定するための周辺パラメーターセンサー（１１９）を有する、請求項１または請求項７に記載のベースモジュール。
【手続補正２】
【補正対象書類名】明細書
【補正対象項目名】０００１
【補正方法】変更
【補正の内容】
【０００１】
本発明は、スポーツ目的の静水域でのボート競技のスタート装置用のベースモジュールに関し、ベースモジュールは、ボートの進行方向と交差するように配された長手方向のホルダー、水位調整ユニット（ｌｅｖｅｌ  ａｄｊｕｓｔｍｅｎｔ  ｕｎｉｔ）、ダイナミックスタビライザー、機械式駆動ユニットを有する遠隔制御されるスタート許可ユニット、および船首支持部を備える。
【手続補正３】
【補正対象書類名】明細書
【補正対象項目名】００１９
【補正方法】変更
【補正の内容】
【００１９】
この目的を達成するもっとも一般的な解決策は、導入部のパラグラフに係るベースモジュールによって提供され、ここで、長手方向のホルダーは１つ以上の剛性の中空管または輪郭成形されたバー（ｐｒｏｆｉｌｅｄ  ｂａｒ）から構成され、ベースモジュールは船首支持部をさらに備え、船首支持部は情報ユニット、およびボートを受け取るためのヘッド部分を備え、このヘッド部分は力伝達ユニットを介して駆動ユニットに接続されるとともに、スタート位置検知ユニットが装備されている。
る。
【手続補正４】
【補正対象書類名】明細書
【補正対象項目名】００９６
【補正方法】変更
【補正の内容】
【００９６】
図５乃至８を用いて、本発明をさらに記載するものとし、本発明に係るベースモジュールは船首支持部を含み、船首支持部は情報ユニットとボート受け取りヘッド部分をさらに含み、力伝達ユニットによって駆動ユニットに接続されている。本発明のさらなる目的は、自動的な整列の検出とスタートの改良を可能にする船首支持部を装備したベースモジュールを開発することである。情報ユニットは、特にボートのスタート位置をモニタリングすることによって、設定されたコース上で競争するボートの整列とスタートを支援するために使用される自動スタート促進装置の船首支持部の作業を拡張する役目を果たす。船首支持部にはボートスタート位置検知ユニットが装備されており、その結果、スタートラインの前でのボート受け取りヘッド部分に所定のゆとりを設けたボートの整列が、スタート位置センサーによって、情報ユニットおよび／またはスタート監視システムに送信される。
【手続補正５】
【補正対象書類名】明細書
【補正対象項目名】００９７
【補正方法】変更
【補正の内容】
【００９７】
以下に述べられている本発明は、船首支持部の機械的な作業に加えて−とりわけ、スタート前に獲得される任意の利点を回避するために−ボートは現在の慣例を破ってさらなる要素を装備することが必要とされるという認識に基づいている。補足のセンサー、音響表示装置および視覚表示装置、ケーブルまたは無線のシステムを使用することにより、競技者には直接の接近から通知し、競技者をスタートさせる審判員には追加の情報をさらに与えることができ、したがって、確立されたシステムにより競技の前の設置も容易になるであろう。
【手続補正６】
【補正対象書類名】明細書
【補正対象項目名】０１４１
【補正方法】変更
【補正の内容】
【０１４１】
図５は、船首支持部（１０１）の典型的な実施形態を例証する。船首支持部（１０１）にはボート受け取りヘッド部分（１０２）、スタート位置検知ユニット（１１０）および情報ユニット（１０５）、力伝達ユニット（１０３）、および、駆動ユニット（１０４））がある。駆動ユニット（１０４）は力伝達部（１０３）によってボート受け取りヘッド部分（１０２）に接続される。スタート位置検知ユニット（１１０）の好ましい実施形態は、これがプレス板（１１１）を有しているときである。ボート受け取りヘッド部分（１０２）は好ましくは、光学的に透明な剛性材料で作られている。
【手続補正７】
【補正対象書類名】明細書
【補正対象項目名】０１８０
【補正方法】変更
【補正の内容】
【０１８０】
図７は、船首支持部（１０１）の情報ユニット（１０５）を例証しており、これは、スタート監視システム（１２０）と一緒に、ケーブルまたは無線で双方向通信をすることができる。競技者への説明と同様にスタートの前の整列は、音響表示装置および／または視覚表示装置に表示される。一実施形態において、スタート位置検知ユニット（１１０）の状態は視覚表示装置（１０６）により示される。さらなる詳細な情報は、例えば、情報ユニット（１０５）の内側に赤−黄−緑の信号を与える、個々に制御された光源（１０７）によって、スタート直前に与えられてもよい。個々に制御された光源（１０７）の信号は、例えば、レーン番号、競技者のスタート番号を表示する情報ユニット（１０５）の外側で複製されてもよい。